(57)【要約】本発明は、第１支持構造及び第２支持構造を備え、支持構造システムの少なくとも１つの姿勢において、第２支持構造の少なくとも一部が第１支持構造に収容され、両支持構造がお互いに移動させられ又は入れ子にされることが可能であり、且つ、第１及び／又は第２支持構造が、折り畳むこと及び展開することが可能なラチス支持構造によって形成されている支持構造システムに関するものである。【選択図】図８ａ
2011527390.tif 000002
【特許請求の範囲】
【請求項１】
第１支持構造(100)及び第２支持構造(200)を備えている支持構造システムであって、
上記第２支持構造(200)は、上記支持構造システムの少なくとも１つの姿勢において、少なくとも一部が上記第１支持構造(100)に収容され、
両支持構造(100，200)は、お互いに移動させられ又は入れ子にされることが可能であり、且つ、上記第１支持構造(100)及び／又は上記第２支持構造(200)は、折り畳むこと及び展開することが可能なラチス支持構造によって形成されていることを特徴とする支持構造システム。
【請求項２】
請求項１記載の支持構造システムにおいて、
上記ラチス支持構造が、上記ラチス支持構造の長手方向に延びているラチス材(10)及び直接間接を問わずそれらを連結するラチス材(20,30,50)を備え、上記ラチス支持構造の長手方向に延びている上記ラチス材(10)の間隔を、上記ラチス支持構造の折り畳み時に減少させることができ、且つ、上記ラチス支持構造の展開時に増大させることができるように、上記連結ラチス材(20,30,50)が長手方向に延びている上記ラチス材(10)に連結された状態で、上記ラチス支持構造が相互に連結されるラチス材(10,20,30,50)を備えていることを特徴とする支持構造システム。
【請求項３】
請求項１又は２記載の支持構造システムにおいて、
上記第２支持構造(200)は、上記ラチス支持構造によって形成され、且つ、展開された状態において、上記第１支持構造(100)に連結されることが可能であることを特徴とする支持構造システム。
【請求項４】
請求項１〜３のいずれか１つに記載の支持構造システムにおいて、
上記第２支持構造(200)は上記ラチス支持構造によって形成され、且つ、上記展開された状態では、上記第１支持構造(100)に収容されず、又は、上記第１支持構造(100)に一部だけが収容されるとともに、上記支持構造システムの長手方向において、むしろ上記第１支持構造(100)に隣接することを特徴とする支持構造システム。
【請求項５】
請求項１〜４のいずれか１つに記載の支持構造システムにおいて、
上記第１支持構造(100)及び上記第２支持構造(200)は、全く同じに作られていることを特徴とする支持構造システム。
【請求項６】
請求項１〜５のいずれか１つに記載の支持構造システムにおいて、
上記第２支持構造(200)は、上記第２支持構造(200)の少なくとも１つの姿勢において、その長手方向に延びているラチスロッド(10)を上記第１支持構造(100)に連結することができるように、特定の寸法に作られたラチス支持構造によって形成されていることを特徴とする支持構造システム。
【請求項７】
請求項１〜６のいずれか１つに記載の支持構造システムにおいて、
両支持構造(100,200)がラチス支持構造によって形成され、且つ、上記支持構造(100,200)の少なくとも１つの姿勢において、長手方向に延びている両支持構造(100,200)の上記ラチス材(10)を相互に連結することができるように、両支持構造(100,200)が特定の寸法に作られていることを特徴とする支持構造システム。
【請求項８】
請求項１〜７のいずれか１つに記載の支持構造システムにおいて、
両支持構造(100,200)がラチス支持構造によって形成され、且つ、上記支持構造(100,200)の少なくとも１つの姿勢において、長手方向に延びている両支持構造(100,200)の上記ラチス材(10)がお互いに面一になるように、両支持構造(100,200)が特定の寸法に作られていることを特徴とする支持構造システム。
【請求項９】
請求項１〜８のいずれか１つに記載の支持構造システムにおいて、
それによってラチス支持構造として作られた上記第２支持構造(200)を、上記第１支持構造(100)から引っ張り出されたときに、その展開された姿勢にする手段が備えられていることを特徴とする支持構造システム。
【請求項１０】
請求項１〜９のいずれか１つに記載の支持構造システムにおいて、
上記連結ラチス材(20,30,50)は、上記ラチス支持構造の、１つの外表面又は複数の外表面に配置されていることを特徴とする支持構造システム。
【請求項１１】
請求項１〜１０のいずれか１つに記載の支持構造システムにおいて、
上記ラチス支持構造の長手方向に延びている上記ラチス材(10)が、上記ラチス支持構造の外縁部を形成していることを特徴とする支持構造システム。
【請求項１２】
請求項１〜１１のいずれか１つに記載の支持構造システムにおいて、
上記ラチス支持構造は、長手方向に延びているラチス材(10)及び連結ラチス材(20,30,50)で構成される、長手方向に反復する構造を有していることを特徴とする支持構造システム。
【請求項１３】
請求項１〜１２のいずれか１つに記載の支持構造システムにおいて、
上記連結ラチスロッド(20,30,50)の少なくともいくつかが、上記ラチス支持構造が展開された状態では、上記ラチス支持構造の長手方向に延びている上記ラチス材(10)の一方から他方へ、上記ラチス支持構造の長手方向と垂直に延びる連結ストラット(50)によって形成されていることを特徴とする支持構造システム。
【請求項１４】
請求項１３記載の支持構造システムにおいて、
上記連結ストラット(50)は、それによって当該連結ストラットを折り畳まれた状態ないし展開された状態に調整することができる、少なくとも１つのジョイントを有していることを特徴とするラチス支持構造。
【請求項１５】
請求項１３又は１４記載の支持構造システムにおいて、
上記ラチス支持構造の長手方向に離れて配置された連結ストラット(50)は、相互に連結されていることを特徴とする支持構造システム。
【請求項１６】
請求項１〜１５のいずれか１つに記載の支持構造システムにおいて、
それによって上記連結ラチスロッド(20,30,50)を少なくとも１つの姿勢で固定することができるロッキング手段が設けられていることを特徴とする支持構造システム。
【請求項１７】
請求項１〜１６のいずれか１つに記載の支持構造システムにおいて、
上記ラチス材(10,20,30,50)の間隔を、互いに増大させ又は減少させることができ、それによって上記ラチス支持構造が展開され又は折り畳まれるように、上記連結ラチス材(20,30,50)の少なくとも２つ、又は、長手方向に延びている上記ラチス材(10)の少なくとも２つに作用する手段が備えられていることを特徴とする支持構造システム。
【請求項１８】
請求項１〜１７のいずれか１つに記載の支持構造システムにおいて、
上記支持構造システムの少なくとも１つの姿勢において、少なくとも１つのさらなる支持構造が上記第２支持構造(200)に収容され、且つ、上記第２支持構造(200)と上記さらなる支持構造とが、互いに移動可能または入れ子にすることが可能であることを特徴とする支持構造システム。
【請求項１９】
広がることが可能な構造、特に、請求項１〜１８のいずれか１つに記載の支持構造システムの一つ以上の支持構造で構成されるラチス支持構造を有するラチス支持構造において、
枢動可能に配置されたラチス材を備え、
相互に枢動可能に連結される部分の一方が突起を有するように、上記枢動可能な連結部が作られ、
枢動可能に連結された部分の他方が、３面が壁に隣接し且つ上記もう一方の部分の上記突起が枢動可能に収容される溝を有していることを特徴とするラチス支持構造。
【請求項２０】
請求項１９記載のラチス支持構造において、
上記ラチス材は、上記突起を一方の端部に有し、且つ、上記溝を他方の端部に有していること、又は、上記ラチス材は、溝若しくは突起を両端部に有していることを特徴とするラチス支持構造。
【請求項２１】
請求項１９又は２０記載のラチス支持構造において、
上記ラチス材を一定の回転姿勢で固定するブレーキ手段が備えられていることを特徴とするラチス支持構造。
【請求項２２】
請求項２１記載のラチス支持構造において、
上記ブレーキ装置は、ドラムブレーキ又はシューブレーキとして作られていることを特徴とするラチス支持構造。
【請求項２３】
請求項２２記載のラチス支持構造において、
上記シューブレーキは、互いに枢動可能に連結された部分の一方に配置され、且つ、ブレーキの作動と同時に、互いに枢動可能に連結された部分の他方と接触する２つの突起を有していることを特徴とするラチス支持構造。
【発明の詳細な説明】
【技術分野】
【０００１】
本発明は、第１支持構造及び第２支持構造を備えている支持構造システムに関するものである。
【背景技術】
【０００２】
所謂ラチス支持構造は、相互に連結されるラチス材を備えた従来技術、すなわち、ラチス支持構造の長手方向に収束するラチス材、及び、直接間接を問わずそれらを連結するラチス材を備えているラチス支持構造で知られている。この点で、ラチス支持構造の長手方向に延びているラチス材の間隔を減少及び増加させることができ、それによって、ラチス支持構造を一方では折り畳むことでき、他方では展開することができるように、ラチス材同士間の連結は解除される。
【０００３】
展開し又は折り畳むことができるかかるラチス支持構造は、一方では、高い機械的安定性という利点があり、且つ、他方では、例えば輸送及び格納目的のために折り畳むことができるという利点がある。
【０００４】
さらに、例えば、支持構造の高さ又は長さを極めて大きくするために、かかる支持構造を互いに隣接して複数個配置することが、従来技術により知られている。
【発明の概要】
【発明が解決しようとする課題】
【０００５】
冒頭で言及した類の支持構造システムを有利な形でさらに発展させることが、本発明の根本的な目的である。
【課題を解決するための手段】
【０００６】
この目的は、請求項１の特徴を備えている支持構造システムによって解決される。それ故に、支持構造システムの少なくとも１つの姿勢において、少なくとも一部分が第１支持構造に収容される第２支持構造システムと、お互いに移動させられ又は入れ子にされることが可能な両支持構造と、が備えられている。これら２つの支持構造の一方または両方を、折り畳み又は展開することが可能な、換言すれば、大きさが変更可能なラチス支持構造によって形成することができる。ラチス支持構造が、ラチス支持構造の長手方向に延びているラチス材及び直接間接を問わずそれらを連結するラチス材を備え、ラチス支持構造の長手方向に延びているラチス材の間隔をラチス支持構造の折り畳み時に減少させ、且つ、ラチス支持構造の展開時に増大させることができるように、連結ラチス材が長手方向に延びているラチス材に連結された状態で、ラチス支持構造は相互に連結されるラチス材を備えることができる。
【０００７】
それ故、提供された支持構造システムは、お互いに移動可能に作られ又は入れ子にされることが可能な少なくとも２つの支持構造を備えている。内側に配置された第２支持構造を外側に配置された第１支持構造から抜き出すこと、及び、支持構造システムを稼動状態に設定するために、次いで第２支持構造を展開することが可能性である。この手法は、当然ながら２つの支持構造だけに限定されない。２以上のかかる支持構造を備える支持構造システムもまた本発明の範囲に含まれる。それ故、支持構造システムの、全ての支持構造または少なくとも一部の支持構造または少なくとも１つの支持構造を、言及されたラチス支持構造、換言すれば、その寸法を変えられるように製造することが可能なラチス支持構造によって形成することが可能である。
【０００８】
第２支持構造が、ラチス支持構造によって形成されること、換言すれば、折り畳み可能または展開可能であるとともに、展開された状態では第１支持構造に連結可能であることは、特に有利である。第２支持構造が、ラチス支持構造によって形成され、且つ、第１支持構造に収容されず、又は、一部だけが収容され、且つ、展開された状態では、支持構造の長手方向において寧ろ第１支持構造に隣接することが考えられる。それ故、全体が又は大部分が最初に内側に配置された第２支持構造を、外側に配置された第１支持構造から押し出すこと、及び、次いで第２支持構造を展開すること、及び、その後すぐに第２支持構造を第１支持構造に機械的に連結することが考えられる。
【０００９】
さらに、第１支持構造及び第２支持構造は、全く同じに作られ、又は、少なくとも類似の構造を有している。第２支持構造の少なくとも一部が第１支持構造に収容された状態では、第１支持構造は、第２支持構造を収容するのに十分な大きさの内部空間を有している状態にある。この状態では、第１支持構造は、完全に又は一部のみが展開され得る。それ故、両支持構造の相対運動または第２支持構造の押出を可能とするためには、第１支持構造が展開されることが重要である。
【００１０】
本発明のさらなる実施形態では、第２支持構造は、第２支持構造の少なくとも１つの姿勢において、その長手方向に延びているラチス材が、第１支持構造に連結することができるように、特定の寸法に作られているラチス支持構造によって形成されている。それ故に、引っ張り出された後に、なるべくラチス支持構造の長手方向に延びているラチス材を互いに連結することが考えられる。例えば、ラチス材の端部を連結することが考えられる。これは、例えばボルト継ぎ手又は同様のものによって行うことができる。
【００１１】
本発明のさらなる実施形態では、両支持構造がラチス支持構造によって形成され、且つ、支持構造の少なくとも１つの姿勢において、長手方向に延びている両支持構造のラチス材がお互いに面一になるように、両支持構造が特定の寸法に作られている。この場合は、互いに連結される２つの支持構造の外のり寸法が全く同じであり、又は、２つのラチス支持構造の結合後、安定した支持構造システム及び視覚的に統一された全体の印象が生じるように、長手方向に延びているラチス材が一直線上にある。
【００１２】
本発明のさらなる実施形態では、それによってラチス支持構造として作られた第２支持構造を、第１支持構造から引っ張り出されたときに、その展開された姿勢にする手段が備えられている。第２支持構造が第１支持構造から抜け出された後に、第２支持構造の展開が行われるように、これらの手段が自動で稼動することが考えられる。
【００１３】
連結ラチス材は、ラチス支持構造の１つの外表面または複数の外表面に配置されることが可能である。
【００１４】
本発明のさらなる実施形態では、ラチス支持構造の外縁部を形成するために、ラチス支持構造の長手方向に延びているラチス材が備えられている。ラチス支持構造は、例えば、長方形の横断面、又は、正方形の横断面に作ることができるが、本発明これに限定されない。三角形の横断面、又は、例えば多角形の横断面も考えられる。
【００１５】
ラチス支持構造は、長手方向に延びているラチス材または連結ラチスロッドを有する、長手方向に反復する構造を備えることが可能である。
【００１６】
本発明のさらなる実施形態では、ラチス支持構造が展開された状態で、ラチス支持構造の長手方向に延びているラチス材の一方から他方へ、ラチス支持構造の長手方向と垂直に延びる連結ストラットによって形成される、少なくともいくつかの連結ラチス材が備えられている。
【００１７】
この点で、それによって連結ストラットを折り畳まれた状態ないし展開された状態に調整することができる、少なくとも１つのジョイントを有している連結ストラットを備えることが可能である。
【００１８】
本発明のさらなる実施形態では、相互に連結される、長手方向に離れて配置された連結ストラットが備えられている。
【００１９】
最終的に、それによって連結ラチス材または長手方向に延びているラチス材を少なくとも１つの姿勢で固定することができるロッキング手段を設けることが可能である。その結果、展開されたラチス支持構造が不必要に崩れないことを確実にすることができる。
【００２０】
最終的に、それぞれのラチス材相互の間隔を増大させ又は減少させることができ、それによってラチス支持構造が折り畳まれ又は展開されるように、連結ラチス材及び／又は長手方向に延びているラチス材の少なくとも２つに作用する手段を備えることが可能である。これらの手段は、例えば、モータ、空気圧、水圧、又は同様のものによって、動かされることが可能である。
【００２１】
本発明のさらなる実施形態では、支持構造システムの少なくとも１つの姿勢において、第２支持構造に収容される、少なくとも１つのさらなる支持構造と、互いに移動可能または入れ子にすることが可能な第２支持構造およびさらなる支持構造とが備えられている。それ故、本発明は、２つの支持構造を備える支持構造システムに限定されない。それどころか、任意の所望の数の支持構造を、互いに連結し、又は、入れ子式の態様で互いに受け入れることが可能である。
【００２２】
さらに、本発明は、広がることが可能な構造を備えるラチス支持構造に関し、特に、枢動可能に配置されたラチス材を備え、相互に枢動可能に連結された部分の一方が突起を有するように、枢動可能な連結部が作られ、且つ、枢動可能に連結された部分の他方が、３面が壁に隣接し且つ他の一方の部分の突起が枢動可能に収容される溝を有している、請求項１〜１８のいずれか１つに記載の支持構造システムの支持構造の少なくとも１つによって形成されるラチス支持構造に関するものである。それ故、溝の底部は境界としての役目を果たし、これにより、ラチス材回転は言及された部分の一方が溝底部に載るまでのみ可能となる。それ故、この姿勢では、ラチス材はブロックされ、又は、さらなる回転が不可能となる。かかる枢動可能な連結部は、ラチス材の２つのセグメントが枢動可能に相互に連結される所、及び／又は、ラチス材がラチス支持構造の他の部分へ枢動可能に連結される所に設けることができる。
【００２３】
ラチス材は、その一方の端部に突起を、且つ、その他方の端部に言及された溝を有するようにしてもよい。このようにして、複数個のラチス材をお互いに連結すること、又は、異なる長さのラチス材を備えることが可能となる。ラチス材の両端に、溝または言及された突起を作ることも一般に考えられる。
【００２４】
ラチス材を一定の回転姿勢で固定するブレーキ装置または固定装置を備えることは特に有利である。ブレーキ装置は、例えば、ドラムブレーキ、ディスクブレーキ又はシューブレーキでもよい。ブレーキは、例えば、油圧作動または機械作動としてもよい。ブレーキは、２つの突起を有し、例えば上記突起が同時に、各々隣接した部分に接触し、そして、このようにして理想的な制動効果を発現させるブレーキシューを備えることができる。
【００２５】
本発明のさらなる詳細及び利点は、図面に示されている実施形態を参照して、より詳しく説明される。
【図面の簡単な説明】
【００２６】
【図１】第１支持構造及び第２支持構造を備える支持構造システムの概略図である。
【図２】図１に係る支持構造システムの横断面図である。
【図３】図１に係る支持構造システムの透視図である。
【図４】第２支持構造の概略図である。
【図５】図４に係る第２支持構造の横断面図である。
【図６】図４に係る支持構造の透視図である。
【図７】図１に係る支持構造システムのさらなる透視図である。
【図８ａ】本発明に係る支持構造システムの様々な図を示すものである。
【図８ｂ】本発明に係る支持構造システムの様々な図を示すものである。
【図８ｃ】本発明に係る支持構造システムの様々な図を示すものである。
【図８ｄ】本発明に係る支持構造システムの様々な図を示すものである。
【図８ｅ】本発明に係る支持構造システムの様々な図を示すものである。
【図８ｆ】本発明に係る支持構造システムの様々な図を示すものである。
【発明を実施するための形態】
【００２７】
図１は、本発明に係る支持構造システムを概略側面図で示す図である。本実施形態では、支持構造システムは、ここに示すように、第１支持構造１００及びその中に収容された第２支持構造２００を備えている。さらに、図１を見ても分かるように、さらなる支持構造３００が既に第１支持構造１００に連結されている。
【００２８】
各ラチス支持構造１００，２００，３００は、ラチス支持構造の長手方向に延びているラチス材１０、及び、それらを連結するラチス材２０，３０，５０を備えている。この点で、ラチス材２０，３０は、長手方向に延びているラチス材１０の１つにそれぞれ枢動可能に連結され、且つ、隣接したラチス材１０にスライディングスリーブ２０’，３０’によって移動可能に連結されている。
【００２９】
連結ラチス材５０は、図１を見ても分かるように、展開された状態では長手方向に延びているラチス材１０と垂直に伸びる連結ストラットとして作られている。連結ストラット５０には、それによって当該連結ストラットを内側に回転させることができるジョイントが設けられている。
【００３０】
さらに、図１を見ても分かるように、２つの連結ストラット５０はそれぞれロッド６０によって相互に連結されている。一方では、このロッド６０は、ラチス支持構造が展開された状態において、お互いの連結ストラット５０の間隔を確保するとともに、このようにして、ラチス支持構造が非意図的に折り畳まれるのを抑える。
【００３１】
さらに、ロッド６０は、ロッド６０の両端点の間隔が折り畳むことを目的として増大され又は減少されるという点で、ラチス支持構造を展開するのに役立つことができる。このロッドの駆動は、モータ、空気圧または油圧などによって行うことができる。
【００３２】
支持構造１００，２００，３００は、全く同じに作られている。図１に示す状態では、展開された第１支持構造１００の内部空間に適合するとともに、それ故、移動可能または入れ子にすることが可能な態様でその中に収容されるように、第２支持構造２００は一部が折り畳まれた状態にある。
【００３３】
図２は、第２支持構造２００が第１支持構造１００の内部空間に収容された状態を示す横断面図である。
【００３４】
図３は、当該設備を示す透視図である。
【００３５】
第２支持構造２００は図４に概略図で示されている。図４を見ても分かるように、この第２支持構造２００は、第１支持構造１００と同様に、長手方向に延びているラチス材１０、及び、連結ラチス材２０，３０，５０を備えている。この連結部では、連結ラチス材２０，３０が、長手方向に延びているラチス材１０の１つに枢動可能に配置されているとともに、長手方向に延びている他のラチス材１０にスライディングスリーブ２０’，３０’によって移動可能に配置されている。
【００３６】
連結ストラット５０は、隣接して長手方向に延びている２つのラチス材１０に枢動可能に配置され、且つ、約中央に配置されたジョイントによって相互に連結されている。ロッド６０は、この中央部に係合し、且つ、引っ張り出され及び嵌め込まれることが可能であり、それによって支持構造の展開または折り畳みが起こり得る。
【００３７】
図５は、図４に係る第２支持構造を示す横断面図であり、図６は透視図である。
【００３８】
図１に係る設備のさらなる透視図が図７である。図７は、第２支持構造２００の一部が未だ第１支持構造１００の内部空間に収容された状態を示す。第２支持構造２００を最大限押し出した後、第２支持構造２００は、展開され、その結果、第１支持構造１００の寸法を取り入れる。この結果、長手方向に延びている第１支持構造のラチス材１０を、長手方向に延びている第２支持構造２００のラチス材１００に連結することが可能となる。２つの支持構造１００，２００を例えば保証付きのボルト連結部などによって連結することが考えられる。
【００３９】
図７に示す実施形態では、下部に示されている第３支持構造３００は、このようにして既に第１支持構造１００に連結されている。第２支持構造２００は、一部が未だ折り畳まれた姿勢であり、第１支持構造１００の内部空間から出た後に展開される。第２支持構造２００が第１支持構造の内部空間から出たことが確認されるや否や、この展開を自動的に行うことが可能である。
【００４０】
図８は、本発明に係る支持構造システムのさらなる図を示している。
【００４１】
この点で、図８ａは、お互いに収容され又は嵌め込まれている２つの支持構造１００，２００を側面図で示しており、また、図８ｂは、この設備を透視図で示している。同様に、図８ｃは、お互いに受け入れられる２つの支持構造１００，２００を示しており、また、図８ｄは、図８ｃに係る設備を通る横断面図を示している。長手方向に延びているラチス材１０に係合され、且つ、第１支持構造１００及び／又は第２支持構造２００の展開または折り畳みに役立つリンク機構２１０を、図８ａで見ることができる。
【００４２】
最後に、図８ｅ及び図８ｆは、第１支持構造１００に収容される第２支持構造２００を備えている、本発明に係る支持構造システムの実施形態を示す透視図である。
【産業上の利用可能性】
【００４３】
本発明に係る支持構造システムは、例えば、支持具、輸送システム、クレーンの構成要素などとして、あらゆる所望の用途に用いられることが可能である。
【図１】
2011527390.tif 000003
【図４】
2011527390.tif 000004
【図５】
2011527390.tif 000005
【図８ａ】
2011527390.tif 000006
【図８ｂ】
2011527390.tif 000007
【図８ｃ】
2011527390.tif 000008
【図８ｄ】
2011527390.tif 000009
【図２】
2011527390.tif 000010
【図３】
2011527390.tif 000011
【図６】
2011527390.tif 000012
【図７】
2011527390.tif 000013
【図８ｅ】
2011527390.tif 000014
【図８ｆ】
2011527390.tif 000015
【国際調査報告】
2011527390.tif 000016
2011527390.tif 000017
2011527390.tif 000018
2011527390.tif 000019